(57)【要約】【課題】　電波の状態等により通信状態が悪くて低速なデータ通信速度しか得られない場合に、画像通信を止めて音声通信のみを行うことができるテレビ電話機能付携帯電話機を提供する。【解決手段】　制御部は、音声通信（ステップＳ３）及び画像通信（ステップＳ５）を行っているときにおいて、電波の状態等により画像を通信するのに充分な伝送速度（６４ｋｂｐｓ以上）が得られない場合には、画像通信を停止して音声通信のみを行う（ステップＳ６，７）。【選択図】　　　　図１
2004032804.tif 000002
【特許請求の範囲】
【請求項１】
音声の通信を行なうための音声通信手段と、
画像の通信を行なうための画像通信手段と、
この画像通信手段による受信画像を表示する動画像表示手段と、
前記音声通信手段による音声通信と動画像通信手段による動画像通信とを実行し制御するように設けられ、動画像通信中、電波の状態等により動画像を通信するに充分な伝送速度が得られなくなった場合には、最後に受信した動画像を静止画像として表示したまま、音声通信のみを行なうように制御する制御手段とを具備してなるテレビ電話機能付携帯電話機。
【請求項２】
制御手段は、動画像通信中、電波の状態等により画像を通信するに充分な伝送速度が得られなくなった場合には、音声通信のみに自動的に切替えるように構成されていることを特徴とする請求項１記載のテレビ電話機能付携帯電話機。
【請求項３】
制御手段は、電波の状態等により動画像を通信するに充分な伝送速度が得られない音声通信のみの状態から、電波の状態等が良好となり画像を通信するに充分な伝送速度が得られるようになった場合には、自動的に動画像通信をも行なうように構成されていることを特徴する請求項１記載のテレビ電話機能付携帯電話機。
【請求項４】
制御手段は、画像通信中、電波の状態等により動画像を通信するに充分な伝送速度が得られなくなった場合には、音声通信のみに自動的に切替え、かつ、電波の状態等が良好となり画像を通信するに充分な伝送速度が得られるようになった場合には、自動的に動画像通信を復帰させるように構成されていることを特徴とする請求項１記載のテレビ電話機能付携帯電話機。
【発明の詳細な説明】
【技術分野】
【０００１】
　本発明は，本発明は、両像と音声を通信することができるテレビ電話機能付携帯電話機に関する。
【背景技術】
【０００２】
　近年、Ｗ−ＣＤＭＡ等の研究開発により、音声及び動画などの画像を通信することができるテレビ電話機能付携帯電話機が実用化されようとしている。この場合、音声通信を行なうには８ｋｂｐｓ程度の低速なデータ伝送速度で可能であるが、音声とともに動画像を通信するには６４ｋｂｐｓ以上の高速なデータ伝送速度が要求される。
【発明の開示】
【発明が解決しようとする課題】
【０００３】
　ところが、以上のような高速データ通信には電波状態が良好で充分な伝送速度が得られることが必要であり、もし、電波状態が悪くなった場合には、画像が乱れて見るに堪えがたくなったり、時には回線が切れてしまう虞れがある。
【０００４】
　本発明は上記事情に鑑みてなされたもので、その目的は、電波の状態等により通信状態が悪く低速なデータ通信速度しか得られない場合に、音声通信のみを行なうことができるテレビ電話機能付携帯電話機を提供することにある。
【課題を解決するための手段】
【０００５】
　第１の発明は，音声の通信を行なうための音声通信手段と、画像の通信を行なうための画像通信手段と、この画像通信手段による受信画像を表示する動画像表示手段と、前記音声通信手段による音声通信と動画像通信手段による動画像通信とを実行し制御するように設けられ、動画像通信中、電波の状態等により面像を通信するに充分な伝送速度が得られなくなった場合には、最後に受信した動画像を静止画像として表示したまま、音声通信のみを行なうように制御する制御手段とを具備してなるテレビ電話機能付携帯電話機にある（請求項１）。
【０００６】
　次に，本発明の作用効果につき説明する。
【０００７】
　本発明にかかるテレビ電話機能付携帯電話機では、音声通信手段と動画像通信手段とによって音声通信と動画像通信とを同時に行なうことができる。この場合、通信初期から電波の状態等により画像を通信するに充分な伝送速度が得られないときには、通信初期から音声通信のみが行なわれる。従って、見るに堪えがたい乱れた画像を通信することはなくなり、又、回線が切れてしまうこともなくて、音声により通信の継続が可能となる。
【０００８】
　また、動画による画像と音声の両方を通信できる高速データ通信中において、電波の状態等により低速データ通信しか行えない状況になったときには、動画は静止画となり、音声通信のみに切替わる。このため、画像の表示停止を行なう場合に比して、故障ではないかという誤判断をすることを防止することができる。
【発明を実施するための最良の形態】
【０００９】
　本発明における制御手段は、動画像通信中、電波の状態等により画像を通信するに充分な伝送速度が得られなくなった場合には、音声通信のみに自動的に切替えるように構成されていることが好ましい（請求項２）。
【００１０】
　これにより、画像と音声の両方を通信中において、電波の状態等により画像を通信するのに充分な伝送速度が得られないときには、自動的に音声通信に切替わるので、ユーザにとって使用上便利である。
【００１１】
　また、本発明における制御手段は、電波の状態等により動画像を通信するに充分な伝送速度が得られない音声通信のみの状態から、電波の状態等が良好となり画像を通信するに充分な伝送速度が得られるようになった場合には、自動的に動画像通信をも行なうように構成されていると好ましい（請求項３）。
【００１２】
　これにより、低速なデータ通信速度しか得られない状況から高速データ通信可能な状況に変化した場合には、音声通信のみのモードから画像と音声の両方を通信するモードに自動的に切替わるようになるので、ユーザにとって使用上極めて便利である。
【００１３】
　また、本発明の制御手段は、画像通信中、電波の状態等により動画像を通信するに充分な伝送速度が得られなくなった場合には、音声通信のみに自動的に切替え、かつ、電波の状態等が良好となり画像を通信するに充分な伝送速度が得られるようになった場合には、自動的に動画像通信を復帰させるように構成されていると好ましい（請求項４）。
【００１４】
　これにより、面像と音声の両方を通信できる高速データ通信中において、電波の状態等により低速データ通信しか行えない状況になったときには、音声通信のみに切替わり、次に、電波の状態等が好転して高速データ通信が可能な状況となれば、自動的に画像通信を再開して音声と画像の両方を通信できるようになるので、ユーザにとって使用上一層便利である。
【００１５】
　以下に，図面を用いて本発明の実施例について説明する。
【実施例１】
【００１６】
　以下、本発明の一実施例につき、図面を参照しながら説明する。先ず、電気的構成について図２を参照して述べる。制御手段たる制御部１は、マイクロコンビュータを主体として構成されたものである。この制御部１の人出力ポートは無線部２の信号入出力端子に接続されており、その無線部２の送受信端子はアンテナ３に接続されている。更に、制御部１の入出力ボートは音声処理部４の入出力端子に接続されており、この音声処理部４の出力端子及ぴ入力端子は音声出力手段たるスビーカ５及び音声入力手段たるマイクロホン６にそれぞれ接続されている。更に、制御部１の入出力ポートは画像処理部７の入出力端子に接続されており、この画像処埋部７の出力端子及ぴ入力端子は画像表示手段たる表示器８及び画像入力手段たるカメラ９にそれぞれ接続されている。
【００１７】
　そして、制御部１において、入カポートは操作入力手段たるキー操作部１０に接続されている。このキー操作部１０には、「電源」キー，「開始」キー，「終了」キー，「０」〜「９」の数字キー及ぴ「画像」キー等の各種キーが設けられている。
【００１８】
　尚、アンテナ３を含む無線部２及び音声処理部４は、本発明における音声通信手段を構成し、アンテナ３を含む無線部２及び画像処理部７は、本発明における画像通信手段を構成するものである。
【００１９】
　ここで、発信者（ユーザ）によってキー操作部１０の「電源」キーが押圧操作されると、図２に示す電気的構成回路に電源が投入され、アンテナ３が周辺基地局のうちの最も電界強度の強い電波をとらえて受信高周波信号として無線部２に伝送する。無線部２は、受信高周波信号をアンテナ共用器，高周波増幅器及び受信ミキサを介し受信ベースバンド信号に変換して制御部１に伝送する。そして、制御部１は、受信ベースバンド信号を復調することにより報知情報を得るようになっており、得られた報知情報から位置登録が必要と判断したときには、位置登録情報を送信ベースバンド信号に変換して無線部２に伝送する。無線部２は、この送信ベースバンド信号を送信ミキサにより送信高周波信号に変換して電力増幅器及びアンテナ共用器を介しアンテナ３より電波として送信するようになっている。以上により、携帯電話機（制御部１）は、待受状態になるものである。
【００２０】
　発信（発呼）する場合には、発信者がキー操作部１０のキーによって通信相手先の電話番号を入力すると、制御部１は、その電話番号を画像処理部７を通して表示器８に表示させる。そして、発信者が電話番号を確認してキー操作部１０の「開始」キーを押圧操作することにより呼を成立させると、発信者の音声は、マイクロフォン６により電気信号に変換されて送信音声信号として音声処理部４に人力される。
【００２１】
　音声処理部４に人力された送信音声信号は、内部の増幅器，Ａ／Ｄ変換器を介してデジタル信号に変換され、更に、音声符号化回路を介して圧縮されて低ビットレート化した送信音声データ信号として制御部１に入力される。そして、電波の状態が良好で６４ｋｂｐｓ以上の高速データ通信が可能な場合には、発信者がキー操作部１０の選択手段たる「画像」キーを押圧操作すると、発信者側の画像は、カメラ９により電気信号に変換されて送信画像信号として面像処理部７に人力される。画像処理部７に人力された送信画像信号は、内郎の増幅器，Ａ／Ｄ変換器を介してデジタル信号に変換され、更に、画像符号化回路を介して圧縮されて低ビットレート化した送信画像データ信号として制御部１に入力される。
【００２２】
　制御部１は、人力された送信音声データ信号と送信画像信号とを符号分割多重（ＣＤＭＡ）処理し且つデジタル変調して送信ベースバンド信号として無線部２に伝送する。無線部２は、送信ベースバンド信号を送信高周波信号に変換し、更に、高周波電力増幅器，アンテナ共用器を介してアンテナ３から電波として基地局に送信する。
【００２３】
　これとは逆に、基地局から送信された電波は、アンテナ３によって受けられて受信高周波信号として無線部２に伝送される。無線部２は、この受信高周波信号を、アンテナ共用器，高周波増幅器及び受信ミキサを介し受信ベースバンド信号に変換して制御部１に伝送する。制御部１は、この受信ベースバンド信号を、復調し、かつ、ＣＤＭＡ処理して受信音声データと受信画像データとに変換してそれぞれ音声処理部４と画像処理部７に伝送する。音声処理部４に伝送された受信音声データは、音声復号回路により伸張されて受信音声デジタル信号になり、これがＤ／Ａ変換回路よりアナログ信号たる受信音声信号に変換されて増幅器を介してスビーカ５に伝送される。従って、スビーカ５は、この受信音声信号を音に変換して受信音声を得るようになる。また、画像処理部７に伝送された受信面像データは、画像復号回路により伸張されて受信画像デジタル信号になり、これが表示器８に伝送される。従って、表示器８は、この受信画像信号を表示できるようになる。
【００２４】
　着呼する場合には、待受状態から基地局より着信メッセージが送信され、これをアンテナ３により受けて無線部２によりベースバンド信号に変換し、このベースバンド信号を制御部１により処理して着信メッセージがあったことを知って着呼動作を行ない、呼を成立させる。呼を成立させた後の動作は、発呼の場合と同様である。
【００２５】
　次に、発呼時の具体的動作について、図１のフローチャートを参照して説明する。発信者がキー操作部１０の数字キーの操作により通信相手先の電話番号を入力するか或いは短縮キーの操作により通信相手先の電話番号を人力し、しかる後、キー操作部１０の「開始」キーを押圧操作すると、制御部１は、メインルーチンから抜けて図１に示す「通信処理」の割込みルーチンに移行する。すると、制御部１は、「通信終了？」の判断ステツプＳ１に移行する。制御部１は、判断ステップＳ１では、発信者が「終了」キーを押圧操作しているか、或いは、着信者が呼を終了させるなどの通信終了の操作が行なわれたとき（「ＹＥＳ」のとき）には、メインルーチンに戻り（リターン）、終話処理を行なう。制御部１は、判断ステッブＳ１にて上述のような通信終了のための操作がないとき（「ＮＯ」のとき）は、次に、「８ｋｂｐｓ以上？」の判断ステッブＳ２に移行する。
【００２６】
　そして、制御部１は、この判断ステッブＳ２では、データ通信速度が８ｋｂｐｓ以上確保できる否かを判断するもので、「ＮＯ」のときは音声通信を行なうことも不可能として、メインルーチンに戻り（リターン）、終話処理を行なう。又、制御部１は、この判断ステッブＳ２でデータ通信速度が８ｋｂｐｓ以上で充分通信が可能であると判断したときには、即ち、「ＹＥＳ」と判断したときには、「音声通信」の処理ステッブＳ３に移行する。
【００２７】
　制御部１は、この処理ステップＳ３では、音声処理部４を動作させ、音声処理部４によりスピーカ５に着信者側の音声を再生させ、又、マイクロホン６によって発信者の音声を音声処理部４に入力させ、以て、音声通信モードとなる。次に、制御部１は、「６４ｋｂｐｓ以上？」の判断ステッブＳ４に移行する。制御部１は、この判断ステッブＳ４においては、データ通信速度が６４ｋｂｐｓ以上可能であるか否かを判断するもので、電波の状態等が悪くて６４ｋｂｐｓ以上のデータ通信が不可能なときには、「ＮＯ」と判断して、「通話終了？」の判断ステッブＳ１に戻る。従って、この場合には、初めから音声のみの通信となるのである。
【００２８】
　制御部１は、電波の状態等が良好であって６４ｋｂｐｓ以上のデータ通信が可能なときには、判断ステップＳ４で「ＹＥＳ」と判断し、「画像通信」の処理ステッブＳ５に移行する。そして、制御部１は、処理ステッブ５においては、６４ｋｂｐｓ以上のデータ通信速度に設定し、画像処理部７を動作させて、画像処理部７により表示器８に着信者側の面像を再生させ、発信者の画像をカメラ９にて画像処理部７に送信させ、以て、画像通信モードとなる。このときには、すでに処理ステッブＳ３にて音声通信モードとなっているので、音声と画像の両方を通信している状態になる。
【００２９】
　次に、制御部１は、「６４ｋｂｐｓ以上？」の判断ステツブＳ６に移行し、６４ｋｂｐｓ以上の高速データ通信が引き続き可能か否かを判断する。制御部１は、６４ｋｂｐｓ以上の高速データ通信が可能なときには、「ＹＥＳ」とし判断して判断ステップＳ１に戻る。しかし、制御部１は、電波の状態が悪くなったとき等のように６４ｋｂｐｓ以上のデータ通信速度が確保できないような状況になったときには、判断ステフブ６にて「ＮＯ」と判断して、「画像通信停止」の処理ステップＳ７に移行する。
【００３０】
　制御部１は、この処理ステップＳ７においては、デー夕通信速度を８ｋｂｐｓにするとともに、画像処理部７の処理を停止させる。この場合、画像処理部７には面像１フレーム分のメモリを有するようになっており、制御部１は、表示器８に画像通信モードでの最後の画像を静止画として表示したままにする。ここで、発信者のキー操作部１０のキー操作選択により、表示器８の電源を切ってその表示器８に何も表示させないようにすることも可能である。尚、制御部１は、処理ステツブＳ７において、カメラ９の電源を切るようになっている。
【００３１】
　その後、制御部１は、判断ステッブＳ１に戻り、処理を繰返すようになるが、処理を繰返している最中に電波の状態等が好転して、６４ｋｂｐｓ以上の高速データ通信速度が充分に確保できるようになったときには、判断ステッブＳ４にて「ＹＥＳ」と判断し、更に、処理ステッブＳ５に移行して、画像通信モードを復活させるようになる。
【００３２】
　このように、本実施例によれば、次のような効果を得ることができる。制御部１の制御により、音声通信手段たる無線部２及び音声処理部４と画像通信手段たる無線部２及び画像処理部７とによって、音声通信と画像通信とを同時に行なうことが可能である。そして、通信初期から、電波の状態等により画像を通信するのに充分な伝送速度が得られないときには、制御部１は、音声通信のみを行なうようになるので、見るに堪えがたい乱れた画像を通信することはなくなり、また、回線が切れてしまうこともなくて、音声により通信の継続が可能となる。
【００３３】
　この場合、発信者は、表示器８の画面上において画像の通信が停止されたことを見て画像通信が正常になされていないことを認識することができ、画像が送られていないことを音声メッセージで相手側に伝えることもでき、必要ならば、通信をやり直すことの旨を音声でメッセージすることもできる。
【００３４】
　また、制御部１は、音声と画像との両方の通信中において、電波の状態等により画像を通信するに充分な伝送速度が得られないときには、自動的に音声通信に切替えるので、ユーザにとって使用上便利である。
【００３５】
　更に、制御部１は、低速なデータ通信速度しか得られない状況から高速データ通信可能な状況に変化した場合には、音声通信のみのモードから画像と音声との両方を通信するモードに自動的に切替えるので、ユーザにとって使用上極めて便利である。
【００３６】
　そして、制御部１は、面像と音声の両方を通信できる高速データ通信中にいおて、電波の状態等により低速データ通信しか行えない状況になつたときには、音声通信のみに切替わり、次に、電波の状態等が好転して高速データ通信が可能な状況となれば、自動的に面像通信を再開して音声と画像の両方を通信できるようにするので、ユーザにとって使用上一層便利である。
【００３７】
　しかも、画像と音声の両方を通信できる高速データ通信中において、電波の状態等により低速データ通信しか行えない状況になったときには、動画は静止画となり音声通信のみに切替わり、次に、電波の状態等が好転して高速データ通信が可能な状況となれば、自動的に静止画が動画となる画像通信を再開して音声と画像の両方を通信できるようになるので、ユーザにとって使用上極めて便利であるとともに、例えば、画像の表示停止を行なう場合に比して、故障ではないかという誤判断をすることを防止できる。
【００３８】
　その上、制御部１は、選択手段たるキー操作部１０の「画像」キーの操作によって画像通信を行なうか否かを選択することができるので、プライバシーの上での問題もない。
【００３９】
　尚、本発明は、上記し且つ図面に示す実施例にのみ限定されるものではなく、次のような拡張、変形が可能である。表示器８としては、携帯電話機の表面略全体にわたる大きな画面のものが望ましいが、従来のような携帯電話機の表面の一部を占めるような小さな画面のものであっても支障はない。
【図面の簡単な説明】
【００４０】
【図１】本発明の一実施例の制御内容を示すフローチャート
【図２】電気的構成を示すブロック線図
【符号の説明】
【００４１】
　１は制御部（制御手段）、
　２は無線部（音声通信手段、画像通信手段）、
　５はスピーカ（音声出力手段）、
　４は音声処理部（音声通信手段）、
　６はマイクロホン（音声入力手段）、
　７は画像処理部（画像通信手段）、
　８は表示器（画像表示手段）、
　９はカメラ（画像入力手段）を示す。
【図１】
2004032804.tif 000003
【図２】
2004032804.tif 000004